(57)【要約】【課題】  機器本体の一つの面に対して表示パネルがスライド移動した場合でも、視認性を損なうことのない再生装置を提供する。【解決手段】  機器本体２の一つの面に対してスライド自在に取り付けられ、タッチパネルを用いて構成された表示パネル５０と、表示パネル５０の位置に応じて、表示パネル５０の画面のコントラストを調整するディスプレイコントローラ４２とを有する。この再生装置１は更に、表示パネル５０の現在位置を検出するパネル位置検出部４９を有する。表示パネル５０の位置に応じて、表示パネル５０の画面のコントラストを調整するようにしたので、機器本体２の一つの面に対して表示パネル５０がスライド移動した場合でも、視認性を損なうことはない。また、ディスプレイコントローラ４２は、表示パネル５０の位置に応じて、表示パネル５０の画面に表示する文字のフォントの縦横比率を変更するようにしてもよい。【選択図】        図１
2005114823.tif 000002
【特許請求の範囲】
【請求項１】
機器本体の一つの面に対してスライド自在に取り付けられ、タッチパネルを用いて構成された表示パネルと、
前記表示パネルの位置に応じて、前記表示パネルの画面のコントラストを調整するコントラスト制御部とを有することを特徴とする再生装置。
【請求項２】
前記再生装置は更に、前記表示パネルをスライドさせる操作スイッチと、
前記操作スイッチの操作状態に基づいて、前記表示パネルの位置を検出する検出手段を有することを特徴とする請求項１記載の再生装置。
【請求項３】
前記再生装置は更に、前記表示パネルの現在位置を検出する検出手段を有することを特徴とする請求項１記載の再生装置。
【請求項４】
前記再生装置更に、前記表示パネルの位置に応じて、前記表示パネルの画面に表示する文字のフォントの縦横比率を変更する手段を有することを特徴とする請求項１から請求項３のいずれか一項に記載の再生装置。
【請求項５】
機器本体の一つの面に対してスライド自在に取り付けられ、タッチパネルを用いて構成された表示パネルと、
前記表示パネルの位置に応じて、前記表示パネルの画面に表示する文字のフォントの縦横比率を変更する手段とを有することを特徴とする再生装置。
【請求項６】
前記表示パネルは、前記一つの面の少なくとも一部を開放する位置に亘って移動自在に構成されていることを特徴とする請求項１から請求項５のいずれか一項に記載の再生装置。
【発明の詳細な説明】
【技術分野】
【０００１】
本発明は、再生装置に関する。
【背景技術】
【０００２】
従来、移動可能な表示部を有する電子機器等が提案されている。このような電子機器において、表示部に、例えば液晶画面を用いた場合、液晶画面は視野角が狭いため、見る位置によって液晶画面に表示された画像が見にくいという問題がある。このような問題点を解決する従来技術として、以下のようなものが提案されている。
【０００３】
特許文献１記載の装置は、本体機器に対する画面の角度を可変する角度調節機構、画面のコントラストを調節するコントラスト調整部、画面の可変角度を検出する画面角度検出手段を有し、画面角度検出手段からの検出結果に応じて、画面のコントラストを自動的に調節するというものである。
【０００４】
【特許文献１】特開平６−３８１３６号公報
【発明の開示】
【発明が解決しようとする課題】
【０００５】
しかしながら、特許文献１記載の装置では、画面の角度に応じてコントラストを調整するようにしているものの、画面がスライドして位置が変わった場合、画面のコントラストを適切に調整しているとは言えず、画面の位置によっては、画面が見にくいという問題がある。
【０００６】
そこで、本発明は、これらの問題を解決するためになされたもので、機器本体の一つの面に対して表示パネルがスライド移動した場合でも、視認性を損なうことのない再生装置を提供することを目的とする。
【課題を解決するための手段】
【０００７】
上記課題を解決するために、本発明の再生装置は、機器本体の一つの面に対してスライド自在に取り付けられ、タッチパネルを用いて構成された表示パネルと、前記表示パネルの位置に応じて、前記表示パネルの画面のコントラストを調整するコントラスト制御部とを有する。本発明によれば、表示パネルの位置に応じて、表示パネルの画面のコントラストを調整するようにしたので、機器本体の一つの面に対して表示パネルがスライド移動した場合でも、視認性を損なうことのない再生装置を提供することができる。
【０００８】
また、本発明は、上記再生装置において、更に、前記表示パネルをスライドさせる操作スイッチと、前記操作スイッチの操作状態に基づいて、前記表示パネルの位置を検出する検出手段を有する。本発明によれば、操作スイッチの操作状態に基づいて、表示パネルの位置を検出することができる。
【０００９】
また、本発明は、上記再生装置において、更に、前記表示パネルの現在位置を検出する検出手段を有することを特徴とする。本発明によれば、検出手段により、表示パネルの現在位置を検出することができる。
【００１０】
また、本発明は、上記再生装置において、更に、前記表示パネルの位置に応じて、前記表示パネルの画面に表示する文字のフォントの縦横比率を変更する手段を有することを特徴とする。本発明によれば、表示パネルの位置に応じて、文字のフォントの縦横比率を変更するようにしたので、機器本体の一つの面に対して表示パネルがスライド移動した場合でも、見やすい文字を表示することができるため、視認性を損なうことのない再生装置を提供することができる。
【００１１】
また、本発明の再生装置は、機器本体の一つの面に対してスライド自在に取り付けられ、タッチパネルを用いて構成された表示パネルと、前記表示パネルの位置に応じて、前記表示パネルの画面に表示する文字のフォントの縦横比率を変更する手段とを有することを特徴とする。本発明によれば、機器本体の一つの面に対して表示パネルがスライド移動した場合でも、見やすい文字を表示することができるため、視認性を損なうことのない再生装置を提供することができる。
【００１２】
また、本発明は、上記再生装置において、更に、前記一つの面の少なくとも一部を開放する位置に亘って移動自在に構成されている。本発明によれば、表示パネルが、一つの面の少なくとも一部を開放する位置にスライド移動した場合でも、スライド位置に応じた視認性が確保できる。
【発明の効果】
【００１３】
本発明によれば、機器本体の一つの面に対して表示パネルがスライド移動した場合でも、視認性を損なうことのない再生装置を提供することができる。
【発明を実施するための最良の形態】
【００１４】
以下、本発明を実施するための最良の形態について説明する。
【実施例】
【００１５】
図１は、本実施例に係る再生装置を説明するための図である。図１に示すように、再生装置１は、ＣＤ制御部３０、ＤＶＤ制御部３１、ＭＤ制御部３２、位置測定装置３３、地図情報メモリ３４、誘導経路メモリ３５、音声再生部３６、スピーカ３７、リモコンインターフェース３８、ＣＰＵ（Ｃｅｎｔｒａｌ  Ｐｒｏｃｅｓｓｉｎｇ  Ｕｎｉｔ）３９、ＲＯＭ（Ｒｅａｄ  Ｏｎｌｙ  Ｍｅｍｏｒｙ）４０、ＲＡＭ（Ｒａｎｄｏｍ  Ａｃｃｅｓｓ  Ｍｅｍｏｒｙ）４１、ディスプレイコントローラ４２、ビデオＲＡＭ４３、メニュー発生部４４、誘導経路発生部４５、マーク発生部４６、画像合成部４７、操作釦検出部４８、パネル位置検出部４９、表示パネル５０、バス５１、リモコン５２を有する。符号５３はＣＤ−ＲＯＭ、５４は地図情報を記憶するＤＶＤ−ＲＯＭ、５５はＭＤをそれぞれ示している。
【００１６】
この再生装置１は、自動車のインストルメントパネル（以下、「インパネ」という）に装着される。ＣＤ制御部３０は、ＣＤ−ＲＯＭ５３からの情報の読出しを制御する。ＤＶＤ制御部３１は、ＤＶＤ−ＲＯＭ５４からの地図情報の読出しを制御する。ＭＤ制御部３２は、ＭＤ５５からの情報の読出しを制御する。位置測定装置３３は、車両の現在位置を測定するものであり、例えば、移動距離を検出する車速センサ、移動方位を検出する角速度センサ、ＧＰＳレシーバ、位置計算用のＣＰＵ等で構成される。
【００１７】
地図情報メモリ３４は、ＤＶＤ−ＲＯＭから読み出した地図情報を記憶する。誘導経路メモリ３５は、探索された誘導経路を記憶する。音声再生部３６は、スピーカ３７から出力する音声を発生させる。リモコンインターフェース３８は、メニュー選択操作、拡大／縮小操作、目的地設定等を行うリモコン５２からの情報を受け付ける。ＣＰＵ３９は、所定のプログラムを実行し、再生装置１全体を制御する。ＲＯＭ４０は、各種プログラムを記憶する。ＲＡＭ４１は、ＣＰＵ３９のワークエリアとして機能する。
【００１８】
ディスプレイコントローラ４２は、地図画像を発生すると共に、所定の割合でコントラストを変更したり、色調および文字のフォントの縦横比率を制御したりする。コントラストおよび文字フォントの縦横比率は、ユーザの背丈を考慮して個別設定するようにしてもよい。なお、ディスプレイコントローラ４２が、表示パネル５０の位置に応じて、表示パネル５０の画面のコントラストを調整するコントラスト制御部、および表示パネル５０の位置に応じて、表示パネル５０の画面に表示する文字のフォントの縦横比率を変更する手段に相当する。
【００１９】
ビデオＲＡＭ４３は、地図画像を記憶する。メニュー発生部４４は、メニュー画像を発生させる。誘導経路発生部４５は、誘導経路を発生させる。マーク発生部４６は、自車位置マークやランドマーク等のマークを発生させる。画像合成部４７は、ビデオＲＡＭ４３、メニュー発生部４４、誘導経路発生部４５およびマーク発生部４６が出力する各種画像を合成する。操作釦検出部４８は、表示パネル等に配置されたイジェクトボタン等の操作釦の操作を検出する。パネル位置検出部４９は、表示パネル５０の現在位置を検出する。パネル位置検出部４９が、パネル位置検出手段に相当する。
【００２０】
表示パネル５０は、機器本体の一つの面に対してスライド自在に取り付けられ、タッチパネルを用いて構成される表示部５０ａと、操作釦５０ｂを有する。表示パネル５０は、一つの面の少なくとも一部を開放する位置に亘って移動自在に構成されている。なお、操作釦５０ｂが表示パネル５０をスライドさせる操作スイッチに相当する。表示パネル５０は、ディスプレイコントローラ４２により電源のオン／オン、コントラスト等の制御が行われている。なお、操作釦検出部４８およびＣＰＵ３９により、操作スイッチの操作状態に基づいて、表示パネル５０の位置を検出する検出手段を実現している。
【００２１】
次に、図２から図４を用いて、再生装置１の構成について説明する。図２は、表示パネル５０が閉じた状態の再生装置１の外観斜視図である。図３は、表示パネル５０が傾斜した状態の再生装置１の外観斜視図である。図４は、表示パネル５０が開閉した状態の再生装置１の外観斜視図である。なお、以下において、図２に示すように、表示パネル５０が閉じた状態を第１の状態、図３に示すように、表示パネル５０が傾斜している状態を第２の状態、図４に示すように、表示パネル５０が開閉している状態を第３の状態というものとする。
【００２２】
図２から図４において、符号２は機器本体、５０は表示パネルをそれぞれ示している。再生装置１は、箱状に形成されたシャーシ１０を有し、シャーシ１０は、前方に設けられた一つの面を形成する前面１０ａと、前面１０ａの外周を囲う壁面１０ｂを有する。シャーシ１０内には、ＣＤプレーヤ６、ナビゲーション用のＣＤ−ＲＯＭプレーヤ７、ＭＤプレーヤ８が収容されている。
【００２３】
図４に示すように、前面１０ａには、ＣＤプレーヤ６及びＣＤ−ＲＯＭプレーヤ７にＣＤ―ＲＯＭを挿入する挿入口２０、２１、ＭＤプレーヤ８にＭＤを挿入する挿入口２２が設けられている。表示パネル５０は、図示省略する駆動機構によって前面１０ａに対してスライド自在に機器本体２に取り付けられており、図２に示す第１の位置と図３に示す第２の位置と図４に示す第３の位置とに亘って移動される。
【００２４】
表示パネル５０は、タッチパネルを用いて構成され、液晶ディスプレイ（ＬＣＤ：Ｌｉｑｕｉｄ  Ｃｒｙｓｔａｌ  Ｄｉｓｐｌａｙ）などからなる画像情報等を表示する表示部５０ａと、その回りに操作釦５０ｂを備えている。表示パネル５０は、表示部５０ａに、ＣＤ−ＲＯＭプレーヤ７によって再生された地図情報や、テレビチューナが受信したテレビ放送波の映像等を表示する。
【００２５】
図５は、表示パネル５０の表示部５０ａを示す図である。図５に示すように、表示部５０ａ上の「ＴＩＬＴ」エリア５０ａ１に操作者の指が触れると、表示パネル５０の傾きを変えることができ、「ＣＤ」エリア５０ａ２に操作者の指が触れると、表示パネル５０は、挿入口２０だけを開放する位置までスライド移動して、「ＭＡＰ」エリア５０ａ３に操作者の指が触れると、表示パネル５０は、挿入口および挿入口２１を開放する位置までスライド移動して、「ＭＤ」エリア５０ａ４に操作者の指が触れると、表示パネル５０は、挿入口２０、２１、２２の全てが開放する位置までスライドする。なお、図４では、操作者の指が「ＭＤ」エリア５０ａ４に触れて、表示パネル５０を挿入口２２が開放する位置までスライドした状態を示している。
【００２６】
また、表示パネル５０は、ＣＤやＭＤ等の所望のディスクが挿入口２０、２１、２２から挿入若しくは排出されるか、又は表示部５０ａの「ＴＩＬＴ」エリア５０ａ１、「ＣＤ」エリア５０ａ２、「ＭＡＰ」エリア５０ａ３、「ＭＤ」エリア５０ａ４に操作者の指が接触されるかにより、駆動機構が駆動して、自動的にシャーシ１０の前面１０ａを覆う位置まで移動する。
【００２７】
図６は、表示パネルの画面に表示する文字のフォントの縦横比率の変更を説明するための図であり、同図（ａ）は縦横比率の変更前の文字を、同図（ｂ）は縦横比率変更後の文字をそれぞれ示す図である。表示パネル５０が図４に示した第３の位置にあるときに、文字のフォントの縦横比率を変更しないで、文字をそのまま表示した場合、図６（ａ）に示すように、操作者からは、文字が横に潰れた形に見える。
【００２８】
このため、ディスプレイコントローラ４２は、表示パネル５０が図４に示した第３の位置にあるとき、文字フォントの縦横の比率を変更して、表示部５０ａに表示する。これにより、機器本体２の一つの面に対して表示パネル５０がスライド移動した場合でも、見やすい文字を表示することができる。なお、図６に示す例では、文字の横幅Ｘ１[ｍｍ]がＸ２[ｍｍ]となるように、文字の横の比率を変更している。また、表示パネル５０の画面に表示する文字のフォントの縦横比率は、表示パネル５０の位置に応じて、適宜変更が可能である。
【００２９】
次に、本実施例に係る再生装置の動作例１について説明する。図７は、再生装置の動作例１のフローチャートである。ステップＳ１１で、操作釦検出部４８は、操作者が表示部５０ａの「ＴＩＬＴ」エリア５０ａ１、「ＣＤ」エリア５０ａ２、「ＭＡＰ」エリア５０ａ３または「ＭＤ」エリア５０ａ４に触れたかどうかを検出し、これらのエリア５０ａ１〜５０ａ４への接触を検出した場合には、ステップＳ１２で、接触エリアに応じたエリア検出信号をＣＰＵ３９に出力する。
【００３０】
ステップＳ１３で、ＣＰＵ３９は、操作者が「ＣＤ」エリア５０ａ２を選択した場合、コントラストを２０％上げる指示をディスプレイコントローラ４２に出力し、操作者が「ＭＡＰ」エリア５０ａ２を選択した場合、コントラストを４０％上げる指示をディスプレイコントローラ４２に出力し、操作者が「ＭＤ」エリア５０ａ３を選択した場合、コントラストを６０％上げる指示をディスプレイコントローラ４２に出力する。
【００３１】
ステップＳ１４で、ディスプレイコントローラ４２は、ＣＰＵ３９からの指示に応じて、表示部５０ａのコントラストを調整する。表示パネル５０は、ＣＤやＭＤ等の所望のディスクが挿入口２０、２１、２２から挿入若しくは排出されることにより、駆動機構が駆動して、自動的にシャーシ１０の前面１０ａを覆う位置まで移動する。
【００３２】
ステップＳ１５で、パネル位置検出部４９は、表示パネル５０の位置を検出し、表示パネルが正規の位置に戻った場合、検出信号をＣＰＵ３９に出力する。ステップＳ１６で、ＣＰＵ３９は、コントラストを元に戻す指示をディスプレイコントローラ４２に出力する。ステップＳ１７で、ディスプレイコントローラ４２は、ＣＰＵ３９からの指示に基づき、コントラストを下げて、コントラストを調整し、元のコントラストに戻す。
【００３３】
動作例１によれば、操作スイッチの操作状態に基づいて、表示パネル５０の位置を検出し、表示パネル５０の位置に応じて、表示パネル５０の画面のコントラストを調整するようにしたので、機器本体２の一つの面に対して表示パネル５０がスライド移動した場合でも、視認性を損なうことのない再生装置１を提供することができる。
【００３４】
次に本実施例に係る再生装置の他の動作例について説明する。図８は再生装置の動作例２のフローチャートである。表示パネル５０は、操作者が表示部５０ａの「ＴＩＬＴ」エリア５０ａ１、「ＣＤ」エリア５０ａ２、「ＭＡＰ」エリア５０ａ３または「ＭＤ」エリア５０ａ４に触れたかどうかを検出し、これらのエリア５０ａ１〜５０ａ４に操作者が触れると、接触エリアに応じて所定の駆動機構によりスライド移動される。
【００３５】
ステップＳ２１で、パネル位置検出部４９は、表示パネル５０の現在位置を検出し、ステップＳ２２で、表示パネル５０の位置に応じた検出信号をＣＰＵ３９に出力する。ステップＳ２３で、ＣＰＵ３９は、表示パネル５０の位置に応じて、コントラストを調整するように、ディスプレイコントローラ４２に指示を出力する。
【００３６】
例えば、ＣＰＵ３９は、操作者が「ＣＤ」エリア５０ａ２を選択した場合、コントラストを２０％上げる指示をディスプレイコントローラ４２に出力し、操作者が「ＭＡＰ」エリア５０ａ２を選択した場合、コントラストを４０％上げる指示をディスプレイコントローラ４２に出力し、操作者が「ＭＤ」エリア５０ａ３を選択した場合、コントラストを６０％上げる指示をディスプレイコントローラ４２に出力する。
【００３７】
ステップＳ２４で、ディスプレイコントローラ４２は、ＣＰＵ３９からの指示に基づき、コントラストを調整する。表示パネル５０は、ＣＤやＭＤ等の所望のディスクが挿入口２０、２１、２２から挿入若しくは排出されるか、又は表示部５０ａの「ＴＩＬＴ」エリア５０ａ１、「ＣＤ」エリア５０ａ２、「ＭＡＰ」エリア５０ａ３、「ＭＤ」エリア５０ａ４に操作者の指が接触されるかにより、駆動機構が駆動して、自動的にシャーシ１０の前面１０ａを覆う位置まで移動する。
【００３８】
ステップＳ２５で、パネル位置検出部４９は、表示パネル５０の移動を検出し、表示パネル５０が正規の位置に移動した場合、ステップＳ２６で、パネル位置に応じた検出信号をＣＰＵ３９に検出信号を出力する。ステップＳ２７で、ＣＰＵ３９は、コントラストを元に戻す指示をディスプレイコントローラ４２に出力する。ステップＳ２８で、ディスプレイコントローラ４２は、ＣＰＵ３９からの指示に基づき、コントラストを調整し、元のコントラストに戻す。
【００３９】
動作例２によれば、表示パネル５０の現在位置を検出し、表示パネル５０の位置に応じて、表示パネル５０の画面のコントラストを調整するようにしたので、機器本体２の一つの面に対して表示パネル５０がスライド移動した場合でも、視認性を損なうことのない再生装置１を提供することができる。
【００４０】
次に本実施例に係る再生装置の他の動作例について説明する。図９は再生装置の動作例３のフローチャートである。表示パネル５０は、操作者が表示部５０ａの「ＴＩＬＴ」エリア５０ａ１、「ＣＤ」エリア５０ａ２、「ＭＡＰ」エリア５０ａ３または「ＭＤ」エリア５０ａ４に触れたかどうかを検出し、これらのエリア５０ａ１〜５０ａ４に操作者が触れると、接触エリアに応じて所定の駆動機構によりスライド移動される。
【００４１】
ステップＳ３１で、パネル位置検出部４９は、表示パネル５０が移動した際、表示パネル５０の現在位置を検出し、ステップＳ３２で、表示パネル５０の位置に応じた検出信号をＣＰＵ３９に出力する。ステップＳ３３で、ＣＰＵ３９は、表示パネル５０の位置に応じて、表示部５０ａに表示する文字のフォントの縦横比率を変更するように、ディスプレイコントローラ４２に指示を出力する。
【００４２】
例えば、ＣＰＵ３９は、操作者が「ＣＤ」エリア５０ａ２を選択した場合、文字のフォントの横比率を５％下げる指示をディスプレイコントローラ４２に出力し、操作者が「ＭＡＰ」エリア５０ａ２を選択した場合、文字のフォントの横比率を１０％下げる指示をディスプレイコントローラ４２に出力し、操作者が「ＭＤ」エリア５０ａ３を選択した場合、文字のフォントの横比率を１５％上げる指示をディスプレイコントローラ４２に出力する。
【００４３】
ステップＳ３４で、ディスプレイコントローラ４２は、ＣＰＵ３９からの指示に基づき、文字のフォントの縦横比率を調整する。表示パネル５０は、ＣＤやＭＤ等の所望のディスクが挿入口２０、２１、２２から挿入若しくは排出されるか、又は表示部５０ａの「ＴＩＬＴ」エリア５０ａ１、「ＣＤ」エリア５０ａ２、「ＭＡＰ」エリア５０ａ３、「ＭＤ」エリア５０ａ４に操作者の指が接触されるかにより、駆動機構が駆動して、自動的にシャーシ１０の前面１０ａを覆う位置まで移動する。
【００４４】
ステップＳ３５で、パネル位置検出部４９は、表示パネル５０が正規の位置に移動したかどうかを検出し、表示パネル５０が正規の位置に移動した場合、ステップＳ３６で、パネル位置に応じた検出信号をＣＰＵ３９に検出信号を出力する。ステップＳ３７で、ＣＰＵ３９は、文字のフォントの縦横比率を元に戻す指示をディスプレイコントローラ４２に出力する。ステップＳ３８で、ディスプレイコントローラ４２は、ＣＰＵ３９からの指示に基づき、文字のフォントの縦横比率を調整し、元の文字フォントの縦横比率に戻す。
【００４５】
動作例３によれば、機器本体２の一つの面に対して表示パネル５０がスライド移動した場合でも、見やすい文字を表示することができるため、視認性を損なうことのない再生装置１を提供することができる。
【００４６】
上記各実施例によれば、タッチパネル上に表示されているＣＤやＭＤ等のメディアの出し入れのためのＥＪＥＣＴキーや表示パネルを開閉するためのキーなどの視認性を損なうこともないので、身を乗り出してメディアのイジェクト操作等を行う必要も無くなる。
【００４７】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００４８】
【図１】本実施例に係る再生装置を説明するための図である。
【図２】表示パネルが閉じた状態の再生装置の外観斜視図である。
【図３】表示パネルが傾斜した状態の再生装置の外観斜視図である。
【図４】表示パネルが開閉した状態の再生装置の外観斜視図である。
【図５】表示パネルの表示部を示す図である。
【図６】表示パネルの画面に表示する文字のフォントの縦横比率の変更を説明するための図であり、同図（ａ）は縦横比率の変更前の文字を、同図（ｂ）は縦横比率変更後の文字をそれぞれ示す図である。
【図７】再生装置の動作例１のフローチャートである。
【図８】再生装置の動作例２のフローチャートである。
【図９】再生装置の動作例３のフローチャートである。
【符号の説明】
【００４９】
１  再生装置
２  機器本体
３９  ＣＰＵ
４２  ディスプレイコントローラ
４８  操作釦検出部
４９  パネル位置検出部
５０  表示パネル
５０ａ  表示部
５０ｂ  操作釦
【図１】
2005114823.tif 000003
【図２】
2005114823.tif 000004
【図３】
2005114823.tif 000005
【図４】
2005114823.tif 000006
【図５】
2005114823.tif 000007
【図６】
2005114823.tif 000008
【図７】
2005114823.tif 000009
【図８】
2005114823.tif 000010
【図９】
2005114823.tif 000011